(57)【要約】【課題】  電子部品実装部に充填される封止樹脂の、電子部品実装部以外への流出を確実に防止することのできる、配線回路基板を提供すること。【解決手段】  電子部品Ｅを実装する電子部品実装部８が形成されている配線回路基板１において、電子部品実装部８には、電子部品Ｅを設置する電子部品設置領域９と、電子部品設置領域９内に配置され、導体配線５と連続する端子６とを設ける。そして、カバー絶縁層４に、電子部品実装部８の周囲を取り囲み、各導体配線５と直交するように延びる溝１１を形成し、その溝１１に、各導体配線５との交差部分において、導体配線５が延びる方向に突出する突出部分１２を形成する。これによって、過度に充填された封止樹脂Ｒが、溝１１を乗り越えにくくなり、溝１１から外側へ広がることを防止することができる。【選択図】    図１
2006332203.tif 000002
【特許請求の範囲】
【請求項１】
ベース絶縁層と、前記ベース絶縁層の上に形成される複数の導体配線と、前記ベース絶縁層の上に前記導体配線を被覆するように形成されるカバー絶縁層とを備え、電子部品を実装する電子部品実装部が形成されている配線回路基板において、
前記電子部品実装部は、前記カバー絶縁層が開口されることにより形成されており、かつ、電子部品が設置される電子部品設置領域と、前記電子部品設置領域内に配置され、前記導体配線と連続するように形成され、電子部品と電気的に接続される端子とを備えており、
前記カバー絶縁層には、前記電子部品実装部の周囲に、複数の前記導体配線と交差するように延びる溝が形成されており、
前記溝は、少なくとも１つの前記導体配線との交差部分において、前記導体配線が延びる方向に突出するように、形成されていることを特徴とする、配線回路基板。
【請求項２】
前記溝は、少なくとも１つの前記導体配線との交差部分において、前記電子部品実装部に向かって突出するように、形成されていることを特徴とする、請求項１に記載の配線回路基板。
【請求項３】
前記溝は、互いに隣接する少なくとも２つの前記導体配線の交差部分において、前記導体配線が延びる方向において互いに反対方向に突出するように、形成されていることを特徴とする、請求項１および２に記載の配線回路基板。
【請求項４】
前記溝は、互いに隣接する少なくとも２つの前記導体配線の交差部分の間において、前記導体配線が延びる方向に対して直交する方向に延びる部分が形成されるように、形成されていることを特徴とする、請求項１〜３のいずれかに記載の配線回路基板。
【請求項５】
前記溝は、前記電子部品実装部の周囲において、前記導体配線が延びる方向に沿って重なるように、複数形成されていることを特徴とする、請求項１〜４のいずれかに記載の配線回路基板。
【発明の詳細な説明】
【技術分野】
【０００１】
本発明は、配線回路基板、詳しくは、電子部品が実装される配線回路基板に関する。
【背景技術】
【０００２】
配線回路基板に、半導体素子などの電子部品を実装する場合には、配線回路基板の電子部品実装部に、電子部品を設置して、配線回路基板に設けられる導体パターンの端子と電子部品の端子とを接続した後、電子部品と電子部品実装部との間の隙間に、その隙間を封止するように、封止樹脂を充填するようにしている。
このような電子部品の実装では、封止樹脂を、電子部品と電子部品実装部との間の隙間に充填するときに、封止樹脂が必要以上に充填され、その必要以上に充填された余剰の封止樹脂が電子部品実装部以外の部分に流出してしまい、配線回路基板を汚染する場合がある。
【０００３】
そのため、例えば、プリント配線基板に、ベアチップを実装して、封止用樹脂組成物で封止する場合において、ベアチップが搭載される個所に沿って、その外縁の外側付近に封止用樹脂組成物の広がりを抑制する溝を形成することが提案されている（例えば、特許文献１参照。）。
【特許文献１】特開２００１−２４４３８４号公報
【発明の開示】
【発明が解決しようとする課題】
【０００４】
しかし、特許文献１に記載されるように、電子部品実装部の外側近傍に溝を形成しても、封止樹脂が過度に充填されると、過度に充填された封止樹脂が、溝を乗り越えて広がる場合があり、とりわけ、導体パターンの配線密度が高くなるに伴って、封止樹脂の流出を、より確実に防ぐことが求められている。
本発明の目的は、電子部品実装部に充填される封止樹脂の、電子部品実装部以外への流出を確実に防止することのできる、配線回路基板を提供することにある。
【課題を解決するための手段】
【０００５】
上記目的を達成するために、本発明の配線回路基板は、ベース絶縁層と、前記ベース絶縁層の上に形成される複数の導体配線と、前記ベース絶縁層の上に前記導体配線を被覆するように形成されるカバー絶縁層とを備え、電子部品を実装する電子部品実装部が形成されている配線回路基板において、前記電子部品実装部は、前記カバー絶縁層が開口されることにより形成されており、かつ、電子部品が設置される電子部品設置領域と、前記電子部品設置領域内に配置され、前記導体配線と連続するように形成され、電子部品と電気的に接続される端子とを備えており、前記カバー絶縁層には、前記電子部品実装部の周囲に、複数の前記導体配線と交差するように延びる溝が形成されており、前記溝は、少なくとも１つの前記導体配線との交差部分において、前記導体配線が延びる方向に突出するように、形成されていることを特徴としている。
【０００６】
また、本発明の配線回路基板では、前記溝は、少なくとも１つの前記導体配線との交差部分において、前記電子部品実装部に向かって突出するように、形成されていることが好適である。
また、本発明の配線回路基板では、前記溝は、互いに隣接する少なくとも２つの前記導体配線の交差部分において、前記導体配線が延びる方向において互いに反対方向に突出するように、形成されていることが好適である。
【０００７】
また、本発明の配線回路基板では、前記溝は、互いに隣接する少なくとも２つの前記導体配線の交差部分の間において、前記導体配線が延びる方向に対して直交する方向に延びる部分が形成されるように、形成されていることが好適である。
また、本発明の配線回路基板では、前記溝は、前記電子部品実装部の周囲において、前記導体配線が延びる方向に沿って重なるように、複数形成されていることが好適である。
【発明の効果】
【０００８】
本発明の配線回路基板では、カバー絶縁層には、電子部品実装部の周囲に、複数の導体配線と交差するように延びる溝が、少なくとも１つの導体配線との交差部分において、導体配線が延びる方向に突出するように、形成されている。そのため、封止樹脂が電子部品実装部に過度に充填されても、その過度に充填された封止樹脂が、その溝によって、溝から外側へ広がることを、確実に防止することができる。
【０００９】
すなわち、この溝は、電子部品実装部の周囲において、複数の導体配線と交差するように形成されており、導体配線との交差部分の溝の深さは、交差部分以外の部分の溝の深さに比べて、導体配線の厚み分浅く形成されている。そのため、封止樹脂が過度に充填されると、導体配線との交差部分においては、過度に充填された封止樹脂が、その浅く形成されている溝を乗り越えて、広がってしまうおそれがある。
【００１０】
しかし、この溝は、導体配線との交差部分においては、導体配線が延びる方向に突出しているので、過度に充填された封止樹脂が、その溝を乗り越えにくくなり、溝から外側へ広がることを防止することができる。その結果、電子部品実装部に充填される封止樹脂の、電子部品実装部以外への流出を確実に防止することができる。
【発明を実施するための最良の形態】
【００１１】
図１は、本発明の配線回路基板の一実施形態の電子部品実装部周辺の要部平面図、図２は、図１のＡ−Ａ線断面図、図３は、図１のＢ−Ｂ線断面図、図４は、図１の要部拡大平面図である。
この配線回路基板１は、図１および図２に示すように、ベース絶縁層２と、ベース絶縁層２の上に形成された導体パターン３と、導体パターン３を被覆するように、ベース絶縁層２の上に形成されたカバー絶縁層４とを備えている。
【００１２】
ベース絶縁層２は、例えば、ポリイミド、ポリアミドイミド、アクリル、ポリエーテルニトリル、ポリエーテルスルホン、ポリエチレンテレフタレート、ポリエチレンナフタレート、ポリ塩化ビニルなどの合成樹脂からなる。好ましくは、ポリイミドからなる。ベース絶縁層２の厚みは、例えば、３〜２０μｍ、好ましくは、８〜１２μｍである。
導体パターン３は、例えば、銅箔、ニッケル箔、金箔、はんだ箔またはこれらの合金箔からなる。導体パターン３の厚みは、例えば、５〜２５μｍ、好ましくは、８〜１５μｍである。
【００１３】
また、導体パターン３は、複数の導体配線５と、各導体配線５に連続し、後述する電子部品実装部８を構成する端子６とを一体的に備えている。各導体配線５は、互いに間隔を隔てて平行して延びるように形成されている。端子６は、各導体配線５から連続して延び、次に述べる電子部品設置領域９内に配置されている。
カバー絶縁層４は、ベース絶縁層２と同様の合成樹脂からなり、その厚みは、例えば、１〜１５μｍ、好ましくは、３〜８μｍである。
【００１４】
また、カバー絶縁層４には、次に述べる電子部品実装部８を形成するために、開口部７が形成されている。この開口部７は、配線回路基板１における電子部品実装部８を形成する所定部分において、その一辺が、３００〜５０００μｍ、好ましくは、５００〜３０００μｍの平面視略矩形状に形成されている。
また、この配線回路基板１には、半導体素子などの電子部品Ｅ（図５参照）を実装するための電子部品実装部８が形成されている。
【００１５】
電子部品実装部８は、カバー絶縁層４の開口部７の開口部分として形成されており、電子部品Ｅが設置される電子部品設置領域９と、電子部品設置領域９内に配置される導体パターン３の端子６とを備えている。
すなわち、導体パターン３の各導体配線５は、開口部７の周辺では、開口部７の四辺に対応する４つの配線部分１０として形成されている。各配線部分１０では、複数の導体配線５が、対応する開口部７の各辺に対して直交する方向から、その各辺に対応する開口部７の端縁に向かうように、互いに間隔を隔てて平行して延びるように配置されている。これによって、各配線部分１０は、開口部７を挟んで平面視略十字状に配置されている。
【００１６】
各配線部分１０において、互いに隣接する導体配線５の間隔Ｓは、例えば、５〜３０００μｍ、好ましくは、１０〜２５００μｍであり、各導体配線５の幅Ｗ１は、例えば、５〜２０００μｍ、好ましくは、１０〜１０００μｍである。
各端子６は、導体パターン３における開口部７からの露出部分であって、各配線部分１０において、各導体配線５から開口部７内へ連続して延びるように形成されている。各端子６は、各配線部分１０に対応して、開口部７の四辺の端縁から、開口部７内へ各辺と直交する方向に延びるように形成され、開口部７内においては、各配線部分１０毎に、互いに間隔を隔てて平行して延びるように配置されている。また、各端子６は、開口部７内において、互いに対向する対辺から延びる各端子６が、互いに間隔を隔てて対向配置されるように、その基端部が開口部７の端縁に配置され、その遊端部が、開口部７の対辺間の中央よりも基端部側に配置されている。各端子６は、対応する配線部分１０毎に、開口部７の四辺から延び、次に述べる電子部品設置領域９を挟んで平面視略十字状に配置されている。
【００１７】
電子部品設置領域９は、開口部７から露出するベース絶縁層２の表面において、図１の点線で示すように、開口部７内の中央に配置され、開口部７の四辺からそれぞれ延びる各端子６の遊端部をすべて含むように、開口部７よりも一回り小さい平面視略矩形状の領域として画成されている。
そして、この配線回路基板１において、カバー絶縁層４には、電子部品実装部８の周囲を取り囲むように、溝１１が形成されている。
【００１８】
この溝１１は、開口部７よりも一回り大きい平面視略矩形枠状に形成されており、その溝１１内に、開口部７、すなわち、電子部品実装部８が配置されている。また、この溝１１は、カバー絶縁層４の厚さ方向を貫通して、次に述べる各導体配線５との交差部分以外の部分でベース絶縁層２が露出するように開口され、その溝深さが、カバー絶縁層４の厚さに相当し、その溝幅Ｗ２が、例えば、２０〜５００μｍ、好ましくは、５０〜２００μｍで、電子部品実装部８の周囲において、無端状（閉鎖状）に連続して形成されている。また、この溝１１は、導体配線５が延びる方向における溝１１の幅方向内側端縁から開口部７の周端縁までの間（以下に述べる実施例では溝間という。）Ｌ１が、実質的にほぼ同程度の距離で、例えば、２０〜５００μｍ、好ましくは、４０〜２００μｍとなるように、電子部品実装部８を取り囲んでいる。
【００１９】
また、この溝１１では、四方の各辺が、各配線部分１０の各導体配線５と、互いに直交する方向で交差しており、その交差部分において、各導体配線５を露出させている。
そして、この溝１１における各導体配線５との交差部分には、各導体配線５が延びる方向（すなわち、溝１１の幅方向）に突出する突出部分１２が形成されている。
この突出部分１２は、図４に示すように、互いに隣接する２つの交差部分において、一方が幅方向内側（電子部品実装部８側）に向かって突出するように、他方が幅方向外側に向かって突出するように、つまり、幅方向において互いに反対方向に突出するように、形成されている。また、各突出部分１２は、それぞれの方向に向かって、溝１１が平面視略円弧形状に突出するように、形成されている。
【００２０】
また、溝１１における互いに隣接する２つの交差部分の間（すなわち、各突出部分１２の間）には、２つの交差部分でそれぞれ交差している導体配線５が延びる方向に対して直交する方向に延びる直交部分１３が形成されている。
この直交部分１３は、２つの交差部分の間において、後で述べるが、すべての部分にわたって形成されていてもよく（図９参照）、また、図４に示すように、部分的に形成されていてもよい。
【００２１】
直交部分１３が、部分的に形成されている場合には、互いに隣接する各突出部分１２と、それらの間に挟まれる直交部分１３のとの間に、各突出部分１２と直交部分１３とを連結する連結部分１４が形成される。この連結部分１４は、突出部分１２から、その突出部分１２が延びる方向に傾斜して、直交部分１３に連結されている。
これによって、溝１１は、図１に示すように、突出部分１２、直交部分１３および連結部分１４が連続して繰り返される無端状に形成されている。
【００２２】
このような溝１１において、図４に示すように、突出部分１２間のピッチＰは、例えば、５０〜２０００μｍ、好ましくは、８０〜１５００μｍであり、また、突出部分１２の幅方向最内側部分と、直交部分１３の幅方向最内側部分との差（以下に述べる実施例では振幅量という。）Ａが、例えば、５０〜１０００μｍ、好ましくは、８０〜８００μｍである。
【００２３】
なお、この配線回路基板１は、通常の配線回路基板１の製造方法と、同様の方法で製造することができる。すなわち、例えば、まず、ポリイミドなどからなるベース絶縁層２を、キャスティングにより、または、ドライフィルムとして用意し、そのベース絶縁層２の上に、アディティブ法やサブトラクティブ法などの公知のパターンニング法によって、導体配線５および端子６を備える銅箔などからなる導体パターン３を形成した後、ベース絶縁層３の上に、導体パターン３を被覆するように、感光性ポリアミド酸（感光性ポリイミド前駆体）を含む溶液を塗布し、露光および現像することによりパターンニングした後、これを加熱硬化させて、ポリイミドなどからなるカバー絶縁層４を形成する。また、開口部７は、カバー絶縁層４のパターンニングにおいて、感光性ポリアミド酸を、電子部品実装部８を形成する部分が露出するように、パターンニングすることにより、形成する。
【００２４】
なお、このような配線回路基板１では、図２の仮想線に示すように、ベース絶縁層２の裏面（導体パターン３が積層される表面と反対側の裏面）に、補強層１５を積層することもできる。
補強層１５は、例えば、ステンレス箔、４２アロイ箔、アルミニウム箔、銅−ベリリウム箔、りん青銅箔などからなり、その厚みは、例えば、１０〜２００μｍ、好ましくは、１５〜１５０μｍである。
【００２５】
補強層１５が積層される場合には、上記の製造方法において、例えば、ステンレス箔などからなる補強層１５を用意して、その補強層１５の上に、感光性ポリアミド酸（感光性ポリイミド前駆体）を含む溶液を塗布し、露光および現像することによりパターンニングした後、これを加熱硬化させて、ポリイミドなどからなるベース絶縁層３を形成する。そして、必要により、カバー絶縁層４の形成後に、補強層１５を、エッチングすることによりパターンニングする。
【００２６】
そして、このように形成された配線回路基板１では、半導体素子などの電子部品Ｅを実装する場合には、図５に示すように、電子部品実装部８において、まず、電子部品Ｅを、電子部品設置領域９に、導体パターン３の端子６と電子部品Ｅの端子（図示せず。）とが、はんだバンプ１６などを介して電気的に接続されるように、設置する。次いで、電子部品Ｅと電子部品実装部８との隙間に、その隙間を封止するように、封止樹脂Ｒを充填する。
【００２７】
封止樹脂Ｒは、例えば、フェノール樹脂、エポキシ樹脂またはポリイミド樹脂などの流動性のある液状樹脂からなり、電子部品Ｅと電子部品実装部８との隙間に流入させた後に、硬化させる。
このような封止樹脂Ｒの充填においては、封止樹脂Ｒが必要以上に充填され、その必要以上に充填された余剰の封止樹脂Ｒが電子部品実装部８以外のカバー絶縁層４の表面に流出してしまい、配線回路基板１を汚染する場合がある。
【００２８】
しかし、この配線回路基板１では、カバー絶縁層４には、電子部品実装部８の周囲を取り囲み、各配線部分１０において、各導体配線５と直交するように延びる溝１１が、各導体配線５との交差部分において突出部分１２が形成されるように、形成されている。そのため、封止樹脂Ｒが、上記したように、電子部品実装部８に過度に充填されても、その過度に充填された封止樹脂Ｒを溝１１内に流入させることにより堰き止めて、溝１１の内側（すなわち、電子部品実装部８が配置されている溝１１内）から外側へ広がることを、確実に防止することができる。
【００２９】
すなわち、この溝１１は、電子部品実装部８の周囲において、各配線部分１０において、各導体配線５と直交するように形成されており、図３に示すように、各導体配線５との交差部分の溝の深さＤ１は、隣接する交差部分間の溝の深さＤ２に比べて、導体配線５の厚みＴ１分浅く形成されている。そのため、封止樹脂Ｒが過度に充填されると、各導体配線５との交差部分においては、過度に充填された封止樹脂Ｒが、その浅く形成されている溝１１を乗り越えて、広がってしまうおそれがある。
【００３０】
しかし、この溝１１は、図４に示すように、各導体配線５との交差部分においては、突出部分１２が、各導体配線５が延びる方向に突出しているので、過度に充填された封止樹脂Ｒが、その溝１１を乗り越えにくくなり、溝１１の内側（すなわち、電子部品実装部８が配置されている溝１１内）から外側へ広がることを防止することができる。その結果、電子部品実装部８に充填される封止樹脂Ｒの、電子部品実装部８以外への流出を確実に防止することができる。
【００３１】
なお、上記の実施形態では、溝１１を、電子部品実装部８の周囲において、無端状（閉鎖状）に連続して形成したが、例えば、図６に示すように、電子部品実装部８の周囲において、それぞれが連続せずに、複数に分割して形成することもできる。
すなわち、図６において、溝１１は、開口部７の四辺に対して、間隔を隔ててそれぞれ外側で対向するように、４つに分割して形成されている。また、溝１１は、図６には示さないが、例えば、開口部７を囲むように、平面視略Ｌ字形状に２つに分割して形成することもできる。さらに、溝１１は、必ずしも開口部７の四辺のすべてに対向してそれぞれ形成する必要はなく、その目的および用途などによって、例えば、開口部７の対辺に対応して、平行状に２つ形成することもできる。また、互いに隣接する辺に対応して、Ｌ字状に２つ形成することもできる。
【００３２】
また、溝１１は、図７に示すように、その目的および用途などによって、電子部品実装部８の周囲に、各配線部分１０の各導体配線５が延びる方向に沿って重なるように、多重で形成することもできる。
すなわち、図７において、溝１１は、開口部７を取り囲むように、開口部７よりも一回り大きい平面視略矩形枠状に形成された無端状の内側溝１１Ａと、その内側溝１１Ａを、さらに取り囲むように、内側溝１１Ａより一回り大きい平面視略矩形枠状に形成された無端状の外側溝１１Ｂとからなる２重溝として形成されている。また、外側溝１１Ｂの幅方向内側端縁から内側溝１１Ａの幅方向外側端縁までの間（以下に述べる実施例では溝間という。）Ｌ２は、例えば、２０〜５００μｍ、好ましくは、４０〜２００μｍである。
【００３３】
なお、図７では、溝１１は、２重溝として形成されているが、その目的および用途などによっては、３重溝や４重溝として形成することができ、例えば、１〜１５重溝、好ましくは、２〜１０重溝として形成することができる。
さらに、図８に示すように、溝１１を、開口部７を取り囲むように、開口部７よりも一回り大きい平面視略矩形枠状に形成された無端状の内側溝１１Ａと、その内側溝１１Ａを、内側溝１１Ａの四辺に対して、間隔を隔ててそれぞれ外側で対向するように、４つに分割して形成された中間溝１１Ｃと、さらに、各中間溝１１Ｃに対して、間隔を隔ててそれぞれ外側で対向し、かつ、対向する各中間溝１１Ｃよりも短く４つに分割して形成された外側溝１１Ｂとからなる３重溝などとして形成することもできる。
【００３４】
また、上記の実施形態では、突出部分１２を、溝１１の幅方向のそれぞれの方向に向かって、平面視略円弧形状に突出するように形成したが、その突出形状は、特に制限されず、例えば、図９（ａ）に示すように、両側斜辺が湾曲し先端が鋭利に尖った平面視略Ｖ字形状や、図９（ｂ）に示すように、両側斜辺が真っ直ぐに延び先端が角状に尖った平面視略Ｖ字形状などの形状に、形成することもできる。
【００３５】
なお、図９（ａ）および図９（ｂ）では、突出部分１２に連続して直交部分１３が形成されており、溝１１は、突出部分１２および直交部分１３が連続して繰り返されている。
また、図９（ａ）および図９（ｂ）において、突出部分１２の突出量（幅方向最内側部分と直交部分１３の幅方向最内側部分との差）ａが、例えば、３０〜１０００μｍ、好ましくは、６０〜８００μｍであり、突出部分１２の幅（直交部分１３の間の距離）ｂが、例えば、５〜２０００μｍ、好ましくは、１０〜１０００μｍである。
【００３６】
また、場合により、突出部分１２は、溝１１における各導体配線５とのすべての交差部分に形成する必要はなく、その目的および用途などによって、適宜選択された交差部分のみに、形成してもよい。また、突出部分１２は、場合により、互いに隣接する２つの交差部分において、幅方向において互いに反対方向に突出するように形成する必要もなく、例えば、すべてが幅方向内側（電子部品実装部８側）に向かって突出するように形成してもよく、また、すべてが幅方向外側に向かって突出するように形成してもよい。なお、突出部分１２は、幅方向外側に向かって突出するように形成するよりも、幅方向内側（電子部品実装部８側）に向かって突出するように形成することが、好適である。
【００３７】
なお、上記の説明では、電子部品実装部８を、カバー絶縁層４の開口部７において、電子部品Ｅが設置される電子部品設置領域９と、電子部品設置領域９内に配置される導体パターン３の端子６とを設けたが、例えば、図１０に示すように、電子部品設置領域９内において、各端子６よりもさらに電子部品設置領域９の内方に、例えば、放熱用の中央端子２１を、導体パターン３として設けるとともに、電子部品設置領域９内に、各端子６および中央端子２１を被覆する端子カバー２２を、カバー絶縁層４として形成することもできる。
【００３８】
また、例えば、図１１に示すように、中央端子２１を設けずに、電子部品設置領域９内に、各端子６を被覆する端子カバー２２を、カバー絶縁層４として形成することもできる。
【実施例】
【００３９】
以下に実施例を示し、本発明をさらに具体的に説明するが、本発明は、何ら実施例に限定されることはない。
実施例１
厚み２５μｍのステンレス箔からなる補強層の上に、感光性ポリアミック酸のワニスを塗布し、露光および現像することによりパターンニングした後、これを加熱硬化させて、厚み１０μｍのポリイミドからなるベース絶縁層を形成した。
【００４０】
次いで、アディティブ法によって、厚み１０μｍの銅箔からなる導体パターンを形成した。この導体パターンにおいて、互いに隣接する導体配線の間隔は、１００μｍであり、各導体配線の幅は、１００μｍであった。
その後、ベース絶縁層の上に、導体パターンを被覆するように、感光性ポリアミック酸のワニスを塗布し、露光および現像することにより、開口部および溝が形成されるように、パターンニングした後、これを加熱硬化させて、厚み５μｍのポリイミドからなるカバー絶縁層を形成し、これによって、配線回路基板を得た。
【００４１】
開口部は、一辺が、１５００μｍの平面視略矩形状に形成した。
溝は、突出部分、直交部分および連結部分が連続して繰り返される無端状で、４重溝として形成した。各溝は、その溝幅が１００μｍ、その溝間が５０μｍとして形成した。また、各溝の突出部分は、互いに隣接する２つの交差部分で幅方向において互いに反対方向に、平面視略円弧形状に突出するように形成した。突出部分間のピッチは５００μｍ、振幅量は２００μｍであった。
【００４２】
比較例１
突出部分のない溝を形成した以外は、実施例１と同様の方法によって、配線回路基板を得た。
評価
実施例１および比較例１において、配線回路基板の電子部品実装部に半導体素子を設置した後、電子部品と電子部品実装部との隙間に、液状のエポキシ樹脂（封止樹脂）を０．５ｍｍ3充填し、その後、１６５℃で３０分加熱した。
【００４３】
加熱後に封止樹脂の流出状態を観察したところ、実施例１の配線回路基板では、最内側の溝（内側から１番目の溝）で、封止樹脂の広がりが止まっていることが確認された。一方、比較例１の配線回路基板では、最外側の溝（内側から４番目の溝）で、封止樹脂の広がりが止まっていることが確認された。
次に、実施例１および比較例１において、配線回路基板の電子部品実装部に半導体素子を設置した後、電子部品と電子部品実装部との隙間に、液状のエポキシ樹脂（封止樹脂）を０．５ｍｍ3充填し、その後、１６５℃で３０分加熱した。
【００４４】
加熱後に封止樹脂の流出状態を観察したところ、実施例１の配線回路基板では、内側から２番目の溝で、封止樹脂の広がりが止まっていることが確認された。一方、比較例１の配線回路基板では、最外側の溝（内側から４番目の溝）を越えて、封止樹脂が広がっていることが確認された。
【図面の簡単な説明】
【００４５】
【図１】本発明の配線回路基板の一実施形態の電子部品実装部周辺の要部平面図である。
【図２】図１のＡ−Ａ線断面図である。
【図３】図１のＢ−Ｂ線断面図である。
【図４】図１の要部拡大平面図である。
【図５】図２における電子部品の実装状態を示す。
【図６】本発明の配線回路基板の他の実施形態（溝を、電子部品実装部の周囲において複数に分割して形成する態様）の電子部品実装部周辺の要部平面図である。
【図７】本発明の配線回路基板の他の実施形態（溝を、多重で形成する態様）の電子部品実装部周辺の要部平面図である。
【図８】本発明の配線回路基板の他の実施形態（溝を、無端状の内側溝、分割して形成された中間溝および分割して形成された外側溝の３重溝として形成する態様）の電子部品実装部周辺の要部平面図である。
【図９】溝の突出部分の他の実施形態を示す平面図であって、（ａ）は、両側斜辺が湾曲し先端が鋭利に尖った平面視略Ｖ字形状、（ｂ）は、両側斜辺が真っ直ぐに延び先端が角状に尖った平面視略Ｖ字形状を示す。
【図１０】本発明の配線回路基板の他の実施形態（中央端子および端子カバーを形成する態様）の、図２に対応する断面図である。
【図１１】本発明の配線回路基板の他の実施形態（端子カバーを形成する態様）の、図２に対応する断面図である。
【符号の説明】
【００４６】
１    配線回路基板
２    ベース絶縁層
４    カバー絶縁層
５    導体配線
６    端子
８    電子部品実装部
９    電子部品設置領域
１１  溝
１２  突出部分
１３  直交部分
Ｅ    電子部品
【図１】
2006332203.tif 000003
【図２】
2006332203.tif 000004
【図３】
2006332203.tif 000005
【図４】
2006332203.tif 000006
【図５】
2006332203.tif 000007
【図６】
2006332203.tif 000008
【図７】
2006332203.tif 000009
【図８】
2006332203.tif 000010
【図９】
2006332203.tif 000011
【図１０】
2006332203.tif 000012
【図１１】
2006332203.tif 000013